(57)【要約】【課題】  サイズ調節幅を大きくできながら、サイズ調節を容易迅速かつ微調節が可能とし、強風により帽子が外れることを回避することができる帽子を提供する。【解決手段】  クラウン部１と、クラウン部１の底部に周方向全域に渡って備えた庇部２と、クラウン部１の底部内面側に周方向ほぼ全域に渡って備えたスベリ３，８とを備え、スベリ３，８の後側左右両側の特定２箇所のそれぞれからスベリ３，８とほぼ同一幅の帯状部材３Ａ，３Ｂを延出し、左右一対の帯状部材３Ａ，３Ｂを左右方向に伸ばした状態でそれらが前後方向で重複する長さに設定し、左右一対の帯状部材３Ａ，３Ｂが重複した状態で両者を係止保持するための係止保持手段を備え、前記係止保持手段の係止位置を変更することにより帽子のサイズ調節を行うようにした。【選択図】        図１
2006274451.tif 000002
【特許請求の範囲】
【請求項１】
頭頂部を覆うクラウン部と、このクラウン部の底部に周方向全域に渡って備えた庇部と、前記クラウン部の底部内面側に周方向ほぼ全域に渡って備えたスベリとを備え、前記スベリの後側左右両側の特定２箇所のそれぞれから該スベリとほぼ同一幅の帯状部材を延出し、それら左右一対の帯状部材を左右方向に伸ばした状態でそれらが前後方向で重複する長さに設定し、前記左右一対の帯状部材が重複した状態で該両者を係止保持するための係止保持手段を備え、前記係止保持手段の係止位置を変更する変更することにより帽子のサイズ調節を行うように構成したことを特徴とする帽子。
【請求項２】
前記係止保持手段を、前記該両帯状部材の対向面側にそれぞれ備えさせた面ファスナーから構成してなる請求項１に記載の帽子。
【請求項３】
前記クラウン部の底部内面に周方向全域に渡る長さの補強部材を備えさせてなる請求項１又は２に記載の帽子。
【請求項４】
前記左右一対の帯状部材のうちの少なくとも一方を、伸縮自在な素材から構成してなる請求項１〜３のいずれかに記載の帽子。
【請求項５】
前記スベリの素材を吸水性と速乾性を有するものから構成してなる請求項１〜４のいずれかに記載の帽子。
【発明の詳細な説明】
【技術分野】
【０００１】
本発明は、頭頂部を覆うクラウン部と、このクラウン部の底部に周方向全域に渡って備えた庇部と、前記クラウン部の底部内面側に周方向ほぼ全域に渡って備えたスベリとを備え、帽子を着用する人の頭部の大きさに応じて自由に帽子のサイズを調節することができるサイズ調節可能な帽子に関する。前記帽子としては、庇部がクラウン部の周方向全域に渡って備えた各種のハットを挙げることができるが、ストローハットやフェルトハットなどの型くずれしにくいハードタイプのハットに特に有効である。
【背景技術】
【０００２】
上記サイズ調節可能な帽子としては、例えば庇部の底部内面側にクラウン部の周方向に沿って形成されたサイズ調節紐体挿入部に挿入されたサイズ調節紐体の端部を引っ張ることにより、庇部の内周部とクラウン部の折り返し部とスベリの３つの部材を、クラウン部の内側に傾斜させたり、倒したりして、帽子のサイズ調節を行うことができるように構成している（例えば、特許文献１参照）。
【特許文献１】特開平１０−１２１３１４号公報（図１〜図５参照）
【発明の開示】
【発明が解決しようとする課題】
【０００３】
上記特許文献１では、庇部の内周部とクラウン部の折り返し部とスベリの３つの部材を一体的に内側に傾斜させたり、倒したりして、サイズ調節を行う場合、庇部の内周部のクラウン部内側への出っ張り度合いでサイズ調節幅が決まってしまうため、サイズ調節幅を大きくすることができない不都合があった。
又、紐体の端部を引っ張りながら３つの部材の傾きを調節しながらサイズ調節を行うことが面倒な作業になるだけでなく、微調節がやり難く調節作業に難点があった。
又、３つの部材を倒せば倒すほど頭部が接触するスベリとの接触面積が少なくなることから、例えば強風などにより帽子が頭から外れやすくなるという不都合もあった。
【０００４】
本発明が前述の状況に鑑み、解決しようとするところは、サイズ調節幅を大きくできながら、サイズ調節を容易迅速かつ微調節が可能とし、さらに強風などにより帽子が外れることを回避することができる帽子を提供する点にある。
【課題を解決するための手段】
【０００５】
本発明は、前述の課題解決のために、頭頂部を覆うクラウン部と、このクラウン部の底部に周方向全域に渡って備えた庇部と、前記クラウン部の底部内面側に周方向ほぼ全域に渡って備えたスベリとを備え、前記スベリの後側左右両側の特定２箇所のそれぞれから該スベリとほぼ同一幅の帯状部材を延出し、それら左右一対の帯状部材を左右方向に伸ばした状態でそれらが前後方向で重複する長さに設定し、前記左右一対の帯状部材が重複した状態で該両者を係止保持するための係止保持手段を備え、前記係止保持手段の係止位置を変更する変更することにより帽子のサイズ調節を行うように構成したことを特徴としている。
上記のように係止保持手段の係止位置を変更することによって、スベリと帯状部材とで形成される帽子の内径寸法を容易迅速に調節することができる。又、左右一対の帯状部材を左右方向側で係止すればするほど、帯状部材とスベリとで形成される内径寸法を小さくすることができる。又、スベリとほぼ同一幅の帯状部材とが頭の周部に面接触することにより、強固に帽子を頭に保持させた状態にすることができる。
【０００６】
前記係止保持手段を、前記該両帯状部材の対向面側にそれぞれ備えさせた面ファスナーから構成してもよい。
【０００７】
前記クラウン部の底部内面に周方向全域に渡る長さの補強部材を備えさせて、クラウン部の底部を補強してもよい。
【０００８】
前記左右一対の帯状部材のうちの少なくとも一方を、伸縮自在な素材から構成してもよい。
【０００９】
前記スベリの素材を吸水性と速乾性を有するものから構成してもよい。
【発明の効果】
【００１０】
左右一対の帯状部材に備えさせた係止保持手段の係止位置を変更することによって、スベリと帯状部材とで形成される帽子の内径寸法を容易迅速に調節することができるとともに微調節も容易に行える使用面において有利な帽子を提供することができる。又、左右一対の帯状部材を左右方向側（前後方向と直交する左右方向に寄った側）で係止すればするほど、帯状部材とスベリとで形成される内径寸法を小さくすることが可能になり、サイズ調節幅を大きくすることができる。又、スベリとほぼ同一幅の帯状部材とが頭の周部に面接触することにより、強固に帽子を頭に保持させた状態にすることができ、強風などにより帽子が頭から外れることを回避することができる。又、左右一対の帯状部材にて帽子の内径寸法を小さくした場合には、帯状部材と後側のスベリとの間に隙間が発生し、その隙間を通して後頭部に対して通気を行うことができ、特に夏場の暑いときに快適に装着することができる帽子を提供することができる。
【００１１】
係止保持手段を面ファスナーから構成することによって、ホック式に比べて、係脱操作を迅速に行えるだけでなく、微調節をより一層行い易い利点がある。
【００１２】
クラウン部の底部内面に周方向全域に渡る長さの補強部材を備えさせて、クラウン部の底部を補強することによって、サイズ調節を行って帽子を被ったときにクラウン部が変形することを阻止することができる。
【００１３】
左右一対の帯状部材のうちの少なくとも一方を、伸縮自在な素材から構成することによって、縮む力を利用することができるから、圧迫力（締め付け力）を小さくして帽子を頭に良好にフィットさせて、装着感を良好にしながらも、帽子が頭から外れにくくすることができる。
【００１４】
スベリの素材が吸水性と速乾性を有するものから構成することによって、汗などを直ちに吸水して直ちに乾燥させることができ、不快になることがなく、快適に使用することができる。
【発明を実施するための最良の形態】
【００１５】
図１（ａ），（ｂ）に、上端を凹ませた凹部１Ａが形成されるとともに頭部を覆い被せることができるクラウン部１と、このクラウン部１の底部に周方向全域に渡ってほぼ水平方向外方側に突出する庇部（ブリムとも言う）２と、前記クラウン部１の底部内面側に周方向ほぼ全域に渡って備えたスベリ（ビン皮部とも言う）３とを主要構成部材として、ハットタイプの帽子が示されている。前記ハットとしては、庇部２がクラウン部１の周方向全域に渡って備えた各種のハットを挙げることができるが、ストローハットやフェルトハットなどの型くずれしにくいハードタイプのハットに特に有効である。又、帽子の素材としては、天然草、布、革、フェルトなどを用いることができる。図１（ａ）に示す４は、クラウン部１の底部外面に周方向全域に渡って巻かれて接着剤により（縫い付けてもよい）固定された布製のリボンであるが、無くてもよい。
【００１６】
図１（ａ）及び図３に示すように、前記クラウン部１の底部内面に、クラウン部１の周方向全域に渡る長さを有し、かつ、薄板状でスベリ３よりも遥かに幅（図では上下寸法）が狭い寸法に設定され、ポリエチレンなどの合成樹脂（クラウン部１の保形性を高める硬さを有するものであれば、どのような材料でもよい）から構成された補強部材５を縫い付けて固定している（接着剤を用いて固定してもよい）。従って、頭に帽子を被ることによって、クラウン部１の底部が変形することを防止することができる。特に、後述する内径寸法が小さくなるようなサイズ調節をした場合においてクラウン部１の後側部分（頭とスベリ３との間に隙間が発生している後側部分）が型くずれすることがないように補強することができる。
【００１７】
図１（ｂ）及び図２（ａ），（ｂ）に示すように、前記スベリ３の後側左右両側の特定２箇所のそれぞれから該スベリ３と同一幅（スベリ３よりも少し幅広又は少し幅狭であってもよい）の帯状部材３Ａ，３Ｂを延出し、それら左右一対の帯状部材３Ａ，３Ｂを左右方向に伸ばした状態でそれらが前後方向で重複する長さに設定し、前記左右一対の帯状部材３Ａ，３Ｂが重複した状態で該両者を係止保持するための係止保持手段を構成する面ファスナー６，７を該両帯状部材３Ａ，３Ｂの対向面側（両者を左右方向で重ねたときに接触する接触面側）にそれぞれ備えさせ、前記一方の面ファスナー６と他方の面ファスナー７との係止位置を変更する（ずらす）ことにより帽子のサイズ調節を行うように構成している。図では、左右一対の帯状部材３Ａ，３Ｂの長手方向（延出方向）の寸法を、それらを左右方向に伸ばした状態で一方の先端が他方の基端近くまで位置する長さ、つまり前後方向で両者がほぼ全域に渡って重複する長さに設定しているが、左右一対の帯状部材３Ａ，３Ｂの長さは自由に変更可能である。
【００１８】
前記帯状部材３Ａ，３Ｂは、クラウン部１の周方向全域よりも長い寸法に構成された一枚の帯状のスベリ３からなり、そのスベリ３の両端部分を残してクラウン部１底部内面に前方から後方にかけて縫い付け、その縫い付けなかった両端部分を左右に延出して、前記帯状部材３Ａ，３Ｂとしているが、帯状部材３Ａ，３Ｂをスベリ３とは別部材にて構成し、その別部材にて構成した帯状部材３Ａ，３Ｂの基端部それぞれをスベリ３に縫い付けて固定してもよい。前記クラウン部１の底部内側面のうちの後端部分、つまり帯状部材３Ａ，３Ｂの基端部間には、別部材でなるスベリ８を縫い付けているが、この後端部分に位置するスベリ８を省略して実施することもできる。
【００１９】
前記スベリ３，８（帯状部材３Ａ，３Ｂを含む）は、吸水性と速乾性を有する素材から構成している。具体的には、ポリエチレンテレフタレート、ポリブチレンテレフタレート、ポリアミド、ポリプロピレン、ポリエチレンなどからなる繊維を異形化して高異形断面繊維であるフィールドセンサー（登録商標、東レ株式会社製）のものを用いているが、吸水性と速乾性を有するものであれば、他のものであってもよい。又、前記スベリ３，８に、抗菌、防臭加工を施して実施してもよい。
【００２０】
帽子の内径寸法よりも頭Ｈのサイズが小さな場合には、一方の面ファスナー６と他方の面ファスナー７との係止位置を変更することにより、図４に示すように、帯状部材３Ａ，３Ｂを後端に位置するスベリ８よりも前方側へ位置させて内径寸法を小さくすることで、帽子を頭Ｈに良好にフィットさせることができる。そして、図４に示すように、スベリ８と帯状部材３Ａ，３Ｂとの間に発生する隙間Ｓを通気用の開口とすることで、特に夏場の暑いときに後頭部を通気により冷やすことができ、快適に使用することができる帽子として利用することができるようになっている。
【００２１】
前記面ファスナー６，７としては、ループ状の多数の係止部からなる雌型のものと、ループ状の係止部に係脱可能なフック状の多数の突起部からなる雄型のものとから構成してもよいし、フック状の多数の突起部とループ状の多数の係止部とを混在させることにより係脱可能な雄雌型のものから構成することもできる。
【００２２】
前記一方の帯状部材３Ｂを別部材、つまり伸縮自在な素材、つまり弾性ゴムから構成してもよい。図５に、弾性ゴムから構成した帯状部材９をスベリ３の一端とスベリ８の一端との間に挟み込んで縫い付けたものを示している。このように伸縮自在な帯状部材９から構成することによって、頭に帽子を被せることにより、図５の２点鎖線で示す直線姿勢から実線で示す湾曲姿勢に姿勢変更し、そのとき帯状部材９が伸びることで該帯状部材９の元に戻ろうとする弾性力（縮む力）を利用することができるから、圧迫力（締め付け力）を小さくして帽子を頭に良好にフィットさせて、装着感を良好にしながらも、帽子が頭から外れにくくすることができるようにしている。前記他方の帯状部材３Ａも伸縮自在な素材から構成してもよいし、両帯状部材３Ａ，３Ｂを伸縮自在な素材から構成して実施することもできる。又、前記スベリ３，８も弾性ゴムから構成することによって、帽子を頭に良好にフィットさせて、装着感を更に快適にすることもできる。
前記係止保持手段を、面ファスナー６，７から構成したが、例えば一方の帯状部材３Ａ又は３Ｂに長手方向に沿って所定間隔を置いて複数の係止孔を形成し、これら係止孔に入り込んで係止可能な係止突起を他方の帯状部材３Ｂ又は３Ａに備えさせて実施することもできる。
【図面の簡単な説明】
【００２３】
【図１】（ａ）帽子を斜め上方から見た斜視図、（ｂ）は斜め下方から見た斜視図である。
【図２】スベリと左右一対の帯状部材を示す要部の斜視図であり、（ａ）は両帯状部材を連結する直前の状態を示し、（ｂ）は両帯状部材を連結した状態を示している。
【図３】図１（ａ）におけるＩＩＩ−ＩＩＩ線断面図である。
【図４】小さな寸法に調節した状態を示す帽子の縦断側面図である。
【図５】スベリと左右一対の帯状部材を示す要部の斜視図であり、一方の帯状部材を別部材で構成したものを示している。
【符号の説明】
【００２４】
１  クラウン部
１Ａ  凹部
２  庇部
３，８  スベリ
３Ａ，３Ｂ  帯状部材
４  リボン
５  補強部材
６，７  面ファスナー
９  帯状部材
Ｈ  頭
Ｓ  隙間
【図１】
2006274451.tif 000003
【図２】
2006274451.tif 000004
【図３】
2006274451.tif 000005
【図４】
2006274451.tif 000006
【図５】
2006274451.tif 000007